(57)【要約】【課題】部品の種類を簡略化でき、コストダウンが可能であるとともに、液漏れ等が皆無である体外循環回路を提供すること。【解決手段】動脈側血液回路（１１）と静脈側血液回路（３１）と翼付針（６０）またはシャントチューブ（７０）から構成され、当該血液回路（１１、３１）を構成するメインチューブ（１１ａ、３１ａ）の先端にメスコネクター（２１、４１）を装着し、当該メスコネクター（２１、４１）にオス型連結部材１を介して、翼付針（６０）またはシャントチューブ（７０）のメスコネクター（６１、７１）を着脱できるように形成した体外循環回路。【選択図】図１
2005103043.tif 000002
【特許請求の範囲】
【請求項１】
動脈側血液回路（１１）と静脈側血液回路（３１）と翼付針（６０）またはシャントチューブ（７０）から構成され、
当該血液回路（１１、３１）を構成するメインチューブ（１１ａ、３１ａ）の先端にメスコネクター（２１、４１）を装着し、当該メスコネクター（２１、４１）にオス型連結部材１を介して、翼付針（６０）またはシャントチューブ（７０）のメスコネクター（６１、７１）を着脱できるように形成した、ことを特徴とする体外循環回路。
【請求項２】
動脈側血液回路（１１）と静脈側血液回路（３１）と翼付針（６０）またはシャントチューブ（７０）から構成され、
当該血液回路（１１、３１）を構成するメインチューブ（１１ａ、３１ａ）の先端にオスコネクター（２３、４３）を装着し、動・静脈側翼付針（６０）またはシャントチューブ（７０）のメスコネクター（６１、７１）をオス型連結部材（１）を介して着脱できるように形成し、前記メインチューブ（１１ａ、３１ａ）のオスコネクター（２３、４３）を、両端にメスコネクター（５１）を装着した接続チューブ（５０）を介して着脱できるように形成した、ことを特徴とする体外循環回路。
【請求項３】
動脈側血液回路（１１）と静脈側血液回路（３１）から構成され、
静脈側血液回路（３１）のメインチューブ（３１ａ）の途中に、
（ａ）接続管（Ｔ）を介してメスコネクター（４１ｂ）を装着した分岐ライン（４４）を接続及び／又は、（ｂ）モニターライン（３９）にメスコネクター（４１ａ）を装着したドリップチャンバー（３８）を配置し、
前記モニターライン（３９）及び分岐ライン（４４）のメスコネクター（４１ａ、４１ｂ）をオス型連結部材（１）を介して、生理食塩水入り容器に接続されかつメスコネクター（６８）を装着したチューブ（６８）に着脱できるように形成した、ことを特徴とする体外循環回路。
【請求項４】
動脈側血液回路（１１）と静脈側血液回路（３１）から構成され、
動脈側血液回路（１１）のメインチューブ（１１ａ）の途中に、接続管（Ｔ２）を介して輸液ライン（１２）を接続し、
当該輸液ライン（１２）の途中に接続管（Ｔ１）を介して回収ライン（１５）を接続し、当該回収ライン（１５）の先端にメスコネクター（２１ａ）を装着し、
前記動脈側血液回路（１１）を構成するメインチューブ（１１ａ）の先端にメスコネクター（２１）を装着し、
前記回収ライン（１５）のメスコネクター（２１ａ）にオス型連結部材（１）を介して、メインチューブ（１１ａ）のメスコネクター（２１）を着脱できるように形成した、ことを特徴とする体外循環回路。
【請求項５】
動脈側血液回路（１１）と静脈側血液回路（３１）から構成され、
動脈側血液回路（１１）のメインチューブ（１１ａ）の途中に、接続管（Ｔ２）を介して輸液ライン（１２）を接続し、
前記動脈側血液回路（１１）を構成するメインチューブ（１１ａ）の先端にメスコネクター（２１）を装着し、
動脈側ドリップチャンバー（１８）のモニターライン（１９）にメスコネクター（２１ｂ）を装着し、
前記モニターライン（１９）のメスコネクター（２１ｂ）にオス型連結部材（１）を介して、メインチューブ（１１ａ）のメスコネクター（２１）を着脱できるように形成した、ことを特徴とする体外循環回路。
【請求項６】
動脈側血液回路（１１）と静脈側血液回路（３１）から構成され、
動脈側血液回路（１１）のメインチューブ（１１ａ）の途中に、接続管（Ｔ）を介して輸液ライン（１２ａ）を接続し、
当該輸液ライン（１２ａ）の途中に着脱可能なオスコネクター（２３ａ）とメスコネクター（２１ｃ）を配置し、
静脈側ドリップチャンバー（３８）のモニターライン（３９）にメスコネクター（４１ａ）を装着し、
前記輸液ライン（１２ａ）のメスコネクター（２１ｃ）にオス型連結部材（１）を介して、モニターライン（３９）のメスコネクター（４１ａ）を着脱できるように形成した、ことを特徴とする体外循環回路。
【請求項７】
動脈側血液回路（１１）と静脈側血液回路（３１）から構成され、
動脈側血液回路（１１）のメインチューブ（１１ａ）の途中に、接続管（Ｔ）を介して輸液ライン（１２ａ）を接続し、
当該輸液ライン（１２ａ）の途中にオス型連結部材（１）を介して、着脱可能なメスコネクター（２１ｃ、２１ｄ）を配置し、
静脈側ドリップチャンバー（３８）のモニターライン（３９）にメスコネクター（４１ａ）を装着し、
前記輸液ライン（１２ａ）のメスコネクター（２１ｃ）にオス型連結部材（１）を介して、モニターライン（３９）のメスコネクター（４１ａ）を着脱できるように形成した、ことを特徴とする体外循環回路。
【発明の詳細な説明】
【技術分野】
【０００１】
本発明は、血液透析、血液濾過等の体外循環に使用される体外循環回路の改良に関する。特にオス型連結部材を構成部品の一部に使用することにより、メスコネクター同士を接続でき、体外循環操作を改善できる体外循環回路である。
例えば体外循環を一時中断して、患者と体外循環回路を一時離脱させる際や、体外循環が終了し体外循環回路内の血液を患者に返血する際に好適に使用することができる。
【背景技術】
【０００２】
図１０は現在使用されている体外循環回路の一例を示す概略図（一部拡大図）である。
動脈側血液回路のメインチューブ８１ａの途中に、接続管Ｔを介して輸液ライン８２ａを接続し、当該輸液ライン８２ａの途中に着脱可能なオスコネクター９３ａとメスコネクター９１ｃを配置し、前記動脈側血液回路を構成するメインチューブ８１ａの先端にオスコネクター９３を装着し、静脈側ドリップチャンバー１０８のモニターライン１０９にメスコネクター１１４ａを装着している。
以下、返血操作の一例について説明する。
（１）輸液ライン８２ａの途中Ａ（オスコネクター９３ａの近傍）をクランプ等の液体流路開閉手段Ｃにより遮断し、輸液ライン８２ａのメスコネクター９１ｃとメインチューブ８１ａのオスコネクター９３を接続し、生理食塩液をメインチューブ８１ａの下流側（静脈側ドリップチャンバー１０８側）へ向けて流す。
（２）メインチューブ１１ａの途中Ｂ（接続管Ｔの近傍でかつ輸液ライン８２ａの上流側）を液体流路開閉手段Ｃにより遮断し、Ａを開放して生理食塩液を輸液ライン８２ａ、接続管Ｔを経てメインチューブ８１ａへ導入し、下流側（静脈側ドリップチャンバー１０８側）へ向けて流す。
しかしながら図１０の体外循環回路は、動脈側血液回路から静脈側血液回路に終始、生理食塩液を流し続けるので、大量の生理食塩液を必要としていた。
このためメインチューブ８１ａのオスコネクター９３をモニターライン１０９のメスコネクター１１４ａに接続して、生理食塩液の使用量を節減することも考えられるが、従来の体外循環回路では、前記（１）の操作時にメインチューブ８１ａのオスコネクター９３部分に既に多量のエアーが混入し、モニターライン１０９のメスコネクター１１４ａに装着できなかった。
また体外循環の途中で、モニターライン１０９のメスコネクター１１４ａから生理食塩液の補液を行いたい場合があるが、生理食塩液入り容器に接続されたチューブのコネクターはメスコネクターであるため、接続できなかった。
【０００３】
また特許文献１に記載の体外循環回路は、体外循環終了後の回路内の返血作業において、患者の動脈に穿刺した穿刺針を抜去して、ドリップチャンバーのゴムボタンに穿刺するか、または穿刺針と嵌合した穿刺針用コネクターを輸液チャンバーのメスコネクターと接続して、生理食塩液を回路内に導入して、残血を体内に返血する旨が開示されている。しかしながら特許文献１の発明では穿刺針を輸液チャンバーのゴムボタンに穿刺するため、穿刺位置から液漏れが生じることが懸念される。また穿刺針用コネクターがメスコネクターの場合、輸液チャンバーのメスコネクターと接続することはできない。
【０００４】
特許文献２に記載の体外循環回路は、透析液側に陽圧をかけて透析液回路側の透析液を血液側に逆濾過し、逆濾過された透析液が補液（生理食塩液）の替わりとなり回路内の残血を回収することができる旨が開示されている。しかしながら特許文献２に記載の発明では、逆濾過した透析液を補液（生理食塩液）の代わりに使用するためにバイパス回路を余分に配置する必要がある。
バイパス回路は血液回収時に使用されるが、血液回路内の残血の一部がバイパス回路内に流入するため、バイパス回路を再び逆濾過された透析液で洗浄する必要があり、血液回収操作に手間がかかる。
【０００５】
【特許文献１】特開２００１−２３８９４４号公報（第１〜第３図）
【特許文献２】特開２００１−６１９５９号公報（第１図）
【発明の開示】
【発明が解決しようとする課題】
【０００６】
発明が解決しようとする問題点は、返血操作の際に大量の生理食塩液が必要である点、体外循環中に補液ができない点、針をゴムボタンに穿刺しているため接続が不安定で液漏れが懸念される点、コネクターの組み合わせにより接続できない点、バイパス回路等をわざわざ設ける必要がある点である。
【課題を解決するための手段】
【０００７】
そこで本発明者は以上の課題を解決する為に、鋭意検討を重ねた結果次の発明に到達した。
［１］本発明は、動脈側血液回路（１１）と静脈側血液回路（３１）と翼付針（６０）またはシャントチューブ（７０）から構成され、
当該血液回路（１１、３１）を構成するメインチューブ（１１ａ、３１ａ）の先端にメスコネクター（２１、４１）を装着し、当該メスコネクター（２１、４１）にオス型連結部材１を介して、翼付針（６０）またはシャントチューブ（７０）のメスコネクター（６１、７１）を着脱できるように形成した体外循環回路を提供する。
［２］本発明は、動脈側血液回路（１１）と静脈側血液回路（３１）と翼付針（６０）またはシャントチューブ（７０）から構成され、
当該血液回路（１１、３１）を構成するメインチューブ（１１ａ、３１ａ）の先端にオスコネクター（２３、４３）を装着し、動・静脈側翼付針（６０）またはシャントチューブ（７０）のメスコネクター（６１、７１）をオス型連結部材（１）を介して着脱できるように形成し、前記メインチューブ（１１ａ、３１ａ）のオスコネクター（２３、４３）を、両端にメスコネクター（５１）を装着した接続チューブ（５０）を介して着脱できるように形成した体外循環回路を提供する。
［３］本発明は、動脈側血液回路（１１）と静脈側血液回路（３１）から構成され、
静脈側血液回路（３１）のメインチューブ（３１ａ）の途中に、
（ａ）接続管（Ｔ）を介してメスコネクター（４１ｂ）を装着した分岐ライン（４４）を接続及び／又は、（ｂ）モニターライン（３９）にメスコネクター（４１ａ）を装着したドリップチャンバー（３８）を配置し、
前記モニターライン（３９）及び分岐ライン（４４）のメスコネクター（４１ａ、４１ｂ）をオス型連結部材（１）を介して、生理食塩水入り容器に接続されかつメスコネクター（６８）を装着したチューブ（６８）に着脱できるように形成した体外循環回路を提供する。
［４］本発明は、動脈側血液回路（１１）と静脈側血液回路（３１）から構成され、
動脈側血液回路（１１）のメインチューブ（１１ａ）の途中に、接続管（Ｔ２）を介して輸液ライン（１２）を接続し、
当該輸液ライン（１２）の途中に接続管（Ｔ１）を介して回収ライン（１５）を接続し、当該回収ライン（１５）の先端にメスコネクター（２１ａ）を装着し、
前記動脈側血液回路（１１）を構成するメインチューブ（１１ａ）の先端にメスコネクター（２１）を装着し、
前記回収ライン（１５）のメスコネクター（２１ａ）にオス型連結部材（１）を介して、メインチューブ（１１ａ）のメスコネクター（２１）を着脱できるように形成した体外循環回路を提供する。
［５］本発明は、動脈側血液回路（１１）と静脈側血液回路（３１）から構成され、
動脈側血液回路（１１）のメインチューブ（１１ａ）の途中に、接続管（Ｔ２）を介して輸液ライン（１２）を接続し、
前記動脈側血液回路（１１）を構成するメインチューブ（１１ａ）の先端にメスコネクター（２１）を装着し、
動脈側ドリップチャンバー（１８）のモニターライン（１９）にメスコネクター（２１ｂ）を装着し、
前記モニターライン（１９）のメスコネクター（２１ｂ）にオス型連結部材（１）を介して、メインチューブ（１１ａ）のメスコネクター（２１）を着脱できるように形成した体外循環回路を提供する。
［６］本発明は、動脈側血液回路（１１）と静脈側血液回路（３１）から構成され、
動脈側血液回路（１１）のメインチューブ（１１ａ）の途中に、接続管（Ｔ）を介して輸液ライン（１２ａ）を接続し、
当該輸液ライン（１２ａ）の途中に着脱可能なオスコネクター（２３ａ）とメスコネクター（２１ｃ）を配置し、
静脈側ドリップチャンバー（３８）のモニターライン（３９）にメスコネクター（４１ａ）を装着し、
前記輸液ライン（１２ａ）のメスコネクター（２１ｃ）にオス型連結部材（１）を介して、モニターライン（３９）のメスコネクター（４１ａ）を着脱できるように形成した体外循環回路を提供する。
［７］本発明は、動脈側血液回路（１１）と静脈側血液回路（３１）から構成され、
動脈側血液回路（１１）のメインチューブ（１１ａ）の途中に、接続管（Ｔ）を介して輸液ライン（１２ａ）を接続し、
当該輸液ライン（１２ａ）の途中にオス型連結部材（１）を介して、着脱可能なメスコネクター（２１ｃ、２１ｄ）を配置し、
静脈側ドリップチャンバー（３８）のモニターライン（３９）にメスコネクター（４１ａ）を装着し、
前記輸液ライン（１２ａ）のメスコネクター（２１ｃ）にオス型連結部材（１）を介して、モニターライン（３９）のメスコネクター（４１ａ）を着脱できるように形成した体外循環回路を提供する。
【発明の効果】
【０００８】
（１）実施例１から８（図１、３から９）の体外循環回路及び／またはこれらの構成部品は、オス型連結部材１を使用することにより、構成部品中に同種（メス・メス）のコネクターを使用して、各構成部品を接続できるので、部品の種類を簡略化でき、コストダウンが可能である。
（２）実施例４（図６）の体外循環回路及び／又はこれらの構成部品は、気泡の混入していないモニターライン３９及び／又は分岐ライン４４から補液が可能であり、体外循環中の補液操作が容易となる。
（３）実施例６から８（図８から図９）の体外循環回路及び／又はこれらの構成部品は、返血作業の際に、メインチューブ１１ａ先端のメスコネクター２１から動脈側ドリップチャンバー１８間の洗浄、メインチューブ１１ａ先端のメスコネクター２１から静脈側ドリップチャンバー３８間の洗浄は一度で済み、この間は図１０の従来の体外循環回路のように生理食塩液を終始反復して流す必要がない。このため生理食塩液の使用量を大幅に節減することができる。
（４）実施例１から８（図１、３から９）の体外循環回路及び／またはこれらの構成部品は、コネクター同士で接続するため液漏れ等が皆無である。
【発明を実施するための最良の形態】
【０００９】
図１は本発明の体外循環回路の一例を示す概略図（全体図）である。
体外循環回路は少なくとも動脈側血液回路１１と静脈側血液回路３１から構成され、当該血液回路１１、３１の一端は体液処理装置（血液透析器、血液濾過器等）ＤＬに接続され、他方の端部は、オス型連結部材１を介して、患者の腕に穿刺する翼付針６０またはシャントチューブ７０に接続される。
［動脈側血液回路１１］
動脈側血液回路１１は、上流（患者側）から下流（体液処理装置（ＤＬ）側）方向から見て、メインチューブ１１ａの先端から後端に亘って、メスコネクター２１またはオスコネクター２３、輸液ライン１２、圧力感知器１６、ローリングチューブ１７、ドリップチャンバー１８、ＤＬコネクター２０が順次装着されている。
輸液ライン１２は、上流（容器６５側）から下流（メインチューブ１１ａ側）方向から見て、接続針１４、輸液チャンバー１３、回収ライン１５、分岐ライン２４が順次装着されている。
［静脈側血液回路３１］
静脈側血液回路３１は、下流（患者側）から上流（体液処理装置（ＤＬ）側）方向から見て、メインチューブ３１ａの先端から後端に亘って、メスコネクター４１またはオスコネクター４３、ドリップチャンバー３８、ＤＬコネクター４０が順次装着されている。
［液体流路開閉手段Ｃ］
動脈側血液回路１１、輸液ライン１２、静脈側血液回路３１、翼付針６０またはシャントチューブ７０の各構成部材の途中には、図１等に例示するように液体流路を開放ないし遮断することのできる液体流路開閉手段Ｃが必要に応じて装着される。液体流路開閉手段Ｃは公知のクランプ、鉗子等で、クランプ等を事前に装着しておいても良いし、クランプまたは鉗子等を使用時に装着するようにしても良い。
【００１０】
［オス型連結部材１］
図２は本発明に使用するオス型連結部材１の一例を示す概略図である。
図２（Ａ）のオス型連結部材１は、固定手段２と連通部４より構成され、連通部４の外周に、二個の固定手段２を回動できるように、例えばパッキン３等を介して装着している。連通部４は中央から両側に向けて先細りテーパー状に形成され、固定手段２の内周には螺旋状の突起等が形成されている。
オス型連結部材１は、メスコネクターの内側に連通部４を挿入し、メスコネクターの外側から固定手段２を回動させて締め付けることにより、メスコネクターに接続、固定することができる。
また図２（Ｂ）のオス型連結部材１Ａは、連通部４に固定手段２を直接固定したもので、連通部４と固定手段２の間に、メスコネクターを圧入することにより、接続、固定することができるようにしたものである。
オス型連結部材１、１Ａの形態は、両側にメスコネクターを接続することができれば何でも良く、メスコネクターの形状に応じて、自由に形状を変更することができる。
【００１１】
［実施例１］［体外循環開始時］
図３は本発明の体外循環回路の一例を示す概略図（体外循環開始時の翼付針６０と動・静脈血液回路１１、３１の一部拡大図）である。
体外循環回路は、動脈側血液回路１１と静脈側血液回路３１と翼付針６０から構成され、当該血液回路１１、３１を構成するメインチューブ１１ａ、３１ａの先端にメスコネクター２１、４１を装着し、当該メスコネクター２１、４１にオス型連結部材１を介して、翼付針６０のメスコネクター６１を着脱できるように形成している。
使用するオス型連結部材１は動・静脈側とも同じであるから、動・静脈側の接続方法の一例について説明する。
翼付針６０の後端に接続されたメスコネクター６１と、動脈側メインチューブ１１ａの先端に装着されたメスコネクター２１の間に、オス型連結部材１を配置し、連通部４をメスコネクター２１、６１の内側に挿入するとともに固定手段２をメスコネクター２１、６１の外周に固定する。なおオス型連結部材１Ａを使用する場合は、連通部４をメスコネクター２１、６１の内側に挿入するとともに連通部４と固定手段２の間にメスコネクター２１、６１を圧入する。（以下の実施例２から８も同じ。）オス型連結部材１、１Ａを使用することにより、各構成部品のメスコネクター同士の接続が可能となる。（以下の実施例２から８も同じ。）
【００１２】
［実施例２］［体外循環途中の一時離脱（地震・火事等で急遽、体外循環を中断し緊急避難する場合）］
図４は本発明の体外循環回路の一例を示す概略図（体外循環の途中で一時離脱した時の概略図、（Ａ）は患者側の翼付針６０同士をオス型連結部材１を介して接続した時の概略図、（Ｂ）は透析装置側の動・静脈側血液回路のメインチューブ１１ａ、３１ａを接続チューブ５０を介して接続した時の概略図）である。
体外循環回路は、動脈側血液回路１１と静脈側血液回路３１と翼付針６０から構成され、当該血液回路１１、３１を構成するメインチューブ１１ａ、３１ａの先端にオスコネクター２３、４３を装着し、動・静脈側翼付針６０のメスコネクター６１をオス型連結部材１を介して着脱できるように形成し、前記メインチューブ１１ａ、３１ａのオスコネクター２３、４３を、両端にメスコネクター５１を装着した接続チューブ５０を介して着脱できるように形成している。翼付針６０に代えてシャントチューブ７０を使用することもできる。
以下に使用方法の一例について説明する。
（１）図１に例示するように、翼付針６０をメスコネクター６１、オスコネクター２３、４３を介して動・静脈側のメインチューブ１１ａ、３１ａと接続した状態で体外循環を開始する。
（２）途中で体外循環を中断する場合、翼付針６０に装着されているチューブ６０Ｔの途中と、メインチューブ１１ａ、３１ａの途中を、事前に装着ないし作業時に使用されるクランプＣ等で液体流路を遮断して、メスコネクター６１とオスコネクター２３、メスコネクター６１とオスコネクター４３を離脱させる。
（３）図４に例示するように、翼付針６０同士をメスコネクター６１、６１及びオス型連結部材１を介して接続する。他方、メインチューブ１１ａとメインチューブ３１ａは、オスコネクター２３、４３及びメスコネクター５１を両端に装着した接続チューブ５０を介して接続し、さらに必要に応じて、メスコネクター５１の外側から固定体２２（ルアーロック等）を締め付けて固定する。
【００１３】
［実施例３］［体外循環途中の一時離脱（地震・火事等で急遽、体外循環を中断し緊急避難する場合）］
図５は本発明の体外循環回路の一例を示す概略図（体外循環の途中で一時離脱する時の概略図、（Ａ）は一時離脱前に患者に接続した動・静シャントチューブ７０と透析装置に接続した動・静脈側血液回路のメインチューブ１１ａ、３１ａをオス型連結部材１を介して接続する時の概略図で、（Ｂ）は一時離脱後に動・静脈シャントチューブ７０をオス型連結部材１を介して接続し、透析装置側の動・静脈側血液回路のメインチューブ１１ａ、３１ａをオス型連結部材１を介して接続する時の概略図）である。
体外循環回路は、動脈側血液回路１１と静脈側血液回路３１とシャントチューブ７０から構成され、当該血液回路１１、３１を構成するメインチューブ１１ａ、３１ａの先端にメスコネクター２１、４１を装着し、当該メスコネクター２１、４１にオス型連結部材１を介して、シャントチューブ７０のメスコネクター７１を着脱できるように形成している。シャントチューブ７０の代わりに翼付針６０を装着することもできる。
以下に使用方法の一例について説明する。
（１）図５（Ａ）に例示するように動・静脈側シャントチューブ７０をメスコネクター７１、オス型連結部材１、メスコネクター２１、４１を介して動・静脈側のメインチューブ１１ａ、３１ａと接続した状態で体外循環を開始する。
（２）途中で体外循環を中断する場合、動・静脈側シャント７０の途中と、メインチューブ１１ａ、３１ａの途中を、事前に装着ないし作業時に使用されるクランプ等で液体流路を遮断して、メスコネクター７１と、メスコネクター２１、４１を離脱させる。
（３）図５（Ｂ）に例示するように、動・静脈側シャント７０同士をメスコネクター７１、オス型連結部材１を介して接続する。他方、メインチューブ１１ａとメインチューブ３１ａは、メスコネクター２１、４１及びオス型連結部材１を介して接続する。
【００１４】
［実施例４］［体外循環途中の補液］
図６は本発明の体外循環回路の一例を示す概略図（体外循環途中の補液：静脈側ドリップチャンバー３８付近の一部拡大図）である。
体外循環回路は、動脈側血液回路１１と静脈側血液回路３１から構成され、静脈側血液回路３１のメインチューブ３１ａの途中に、(ａ)接続管Ｔを介してメスコネクター４１ｂを装着した分岐ライン４４を接続及び／又は、（ｂ）モニターライン３９にメスコネクター４１ａを装着したドリップチャンバー３８を配置している。前記分岐ライン４４及びモニターライン３９のメスコネクター４１ａ、４１ｂをオス型連結部材１を介して、生理食塩水入り容器に接続されかつメスコネクター６８を装着したチューブ６８に着脱できるように形成している。
以下に使用方法の一例について説明する。
（１）生理食塩液入り容器（図示せず）に接続されたチューブ６７に装着されたメスコネクター６８と前記モニターライン３９及び分岐ライン４４のメスコネクター４１ａ（４１ｂ）を、オス型連結部材１を介して接続する。
（２）生理食塩液入り容器より、チューブ６７、オス型連結部材１、分岐ライン４４を介して、メインチューブ３１ａ内に生理食塩液を導入する。
または（２´）生理食塩液入り容器より、チューブ６７、オス型連結部材１、モニターライン３９、ドリップチャンバー３８を介して、メインチューブ３１ａ内に生理食塩液を導入する。
【００１５】
［実施例５］［体外循環終了後の血液回収（体外循環回路内の血液を患者の体内に返血する操作）］
図７は本発明の体外循環回路の一例を示す概略図（体外循環終了時の血液回収）である。
体外循環回路は、動脈側血液回路１１と静脈側血液回路３１から構成され、動脈側血液回路１１のメインチューブ１１ａの途中に、接続管Ｔ２を介して輸液ライン１２を接続している。当該輸液ライン１２の途中に接続管Ｔ１を介して回収ライン１５を接続し、当該回収ライン１５の先端にメスコネクター２１ａを装着している。
前記血液回路１１を構成するメインチューブ１１ａの先端にメスコネクター２１を装着し、前記回収ライン１５のメスコネクター２１ａにオス型連結部材１を介して、メインチューブ１１ａのメスコネクター２１を着脱できるように形成している。メインチューブ１１ａのメスコネクター２１にはオス型連結部材１を介して、翼付針６０が接続されている。
以下に使用方法の一例について説明する。
（１）翼付針６０のメスコネクター６１をオス型連結部材１から外し、当該オス型連結部材１１に回収ライン１５のメスコネクター２１ａを接続して、回収ライン１５とメインチューブ１１ａの先端を接続する。
（２）分岐ライン２４の途中Ａ（接続管Ｔ１の近傍）をクランプし、生理食塩液を回収ライン１５、オス型連結部材１経由でメインチューブ１１ａの先端から導入し、下流側へ向けて流す。
（３）メインチューブ１１ａの途中Ｂ（接続管Ｔ２の近傍でかつ分岐ライン２４の上流側）と回収ライン１５の途中Ｃ（接続管Ｔ１の近傍）をクランプし、Ａを開放し、生理食塩液を輸液ライン１２から接続管Ｔ２を経てメインチューブ１１ａへ導入し、下流側へ向けて流す。
以上の操作により、メインチューブ１１ａの先端から接続管Ｔ２間の血液と、これより下流の動・静脈側メインチューブ１１ａ、３１ａ中の血液を生理食塩液で置換して回収することができる。
【００１６】
［実施例６］［体外循環終了後の血液回収（体外循環回路内の血液を患者の体内に返血する操作）］
本実施例の体外循環回路は、図７の回収ライン１５を省略した体外循環回路である。
体外循環回路は、動脈側血液回路１１と静脈側血液回路３１から構成され、動脈側血液回路１１のメインチューブ１１ａの途中に、接続管Ｔ２を介して輸液ライン１２を接続している。前記血液回路１１を構成するメインチューブ１１ａの先端にメスコネクター２１を装着し、動脈側ドリップチャンバー１８のモニターライン１９にメスコネクター２１ｂを装着し、前記モニターライン１９のメスコネクター２１ｂにオス型連結部材１を介して、メインチューブ１１ａのメスコネクター２１を着脱できるように形成している。メインチューブ１１ａのメスコネクター２１にはオス型連結部材１を介して、翼付針６０が接続されている。
以下に使用方法の一例について説明する。
（１）メインチューブ１１ａの途中Ｄ（接続管Ｔ２の近傍でかつ分岐ライン２４の下流側）をクランプし、生理食塩液を輸液ライン１２、メインチューブ１１ａの先端、翼付針６０方向へ流す。
（２）メインチューブ１１ａの途中Ｂ（接続管Ｔ２の近傍でかつ分岐ライン２４の上流側）をクランプし、Ｄを開放し、生理食塩液を輸液ライン１２、接続管Ｔ２を経てメインチューブ１１ａの下流方向へ流す。
（３）翼付針６０のメスコネクター６１をオス型連結部材１から外し、当該オス型連結部材１に動脈側ドリップチャンバー１８のメスコネクター２１ｂを接続し、メインチューブ１１ａ先端と動脈側ドリップチャンバー１８を接続する。
（４）メインチューブ１１ａの途中Ｄ（接続管Ｔ２の近傍でかつ分岐ライン２４の下流側）をクランプし、Ｃを開放し、生理食塩液を輸液ライン１２、接続管Ｔ２、メインチューブ１１ａ先端を経て動脈側ドリップチャンバー１８へ流す。
以上の操作により、動・静脈側メインチューブ１１ａ、３１ａ中の血液を生理食塩液で置換して回収することができる。
メインチューブ１１ａ先端のメスコネクター２１から動脈側ドリップチャンバー１８間の洗浄は一度で済み、この間は図１０の従来の体外循環回路のように生理食塩液を終始反復して流す必要がない。このため生理食塩液の使用量を節減することができる。
【００１７】
［実施例７］［体外循環終了後の血液回収（体外循環回路内の血液を患者の体内に返血する操作）］
図８は本発明の体外循環回路の一例を示す概略図（体外循環終了時の血液回収）である。
体外循環回路は、動脈側血液回路１１と静脈側血液回路３１から構成され、動脈側血液回路１１のメインチューブ１１ａの途中に、接続管Ｔ２を介して輸液ライン１２ａを接続している。
当該輸液ライン１２ａの途中に着脱可能なオスコネクター２３ａとメスコネクター２１ｃを配置している。
前記静脈側ドリップチャンバー３８のモニターライン３９にメスコネクター４１ａを装着している。
前記輸液ライン１２ａのメスコネクター２１ｃにオス型連結部材１を介して、モニターライン３９のメスコネクター４１ａを着脱できるように形成している。
図８では動脈側血液回路１１を構成するメインチューブ１１ａの先端にオスコネクター２３を装着しているが、メスコネクターを装着しても良い。
以下に使用方法の一例について説明する。
（１）メインチューブ１１ａの途中Ｄ（接続管Ｔ２の近傍でかつ分岐ライン２４の下流側）をクランプし、生理食塩液を輸液ライン１２ａ、メインチューブ１１ａ先端側に流す。
（２）メインチューブ１１ａの途中Ｂ（接続管Ｔ２の近傍でかつ分岐ライン２４の上流側）をクランプし、Ｄを開放し、生理食塩液を輸液ライン１２ａ、メインチューブ１１ａ下流側に流す。
（３）オスコネクター２３ａとメスコネクター２１ｃを離脱し、メスコネクター２１ｃをオス型連結部材１を介して、静脈側ドリップチャンバー３８のメスコネクター４１ａに接続し、生理食塩液を輸液ライン１２ａから静脈側ドリップチャンバー３８へ流す。
これにより生理食塩液の使用量を少なくすることができると共に、動脈側メインチューブ１１ａ内の過剰洗浄を抑えることができる。
メインチューブ１１ａ先端のメスコネクター２１から静脈側ドリップチャンバー３８間の洗浄は一度で済み、この間は図１０の従来の体外循環回路のように生理食塩液を終始反復して流す必要がない。このため生理食塩液の使用量を節減することができる。
【００１８】
［実施例８］［体外循環終了後の血液回収（体外循環回路内の血液を患者の体内に返血する操作）］
図９は本発明の体外循環回路の一例を示す概略図（体外循環終了時の血液回収）である。
体外循環回路は、動脈側血液回路１１と静脈側血液回路３１から構成され、
動脈側血液回路１１のメインチューブ１１ａの途中に、接続管Ｔを介して輸液ライン１２ａを接続し、当該輸液ライン１２ａの途中にオス型連結部材１を介して、着脱可能なメスコネクター２１ｃ、２１ｄを配置している。
前記静脈側ドリップチャンバー３８のモニターライン３９にメスコネクター４１ａを装着し、前記輸液ライン１２ａのメスコネクター２１ｃにオス型連結部材１を介して、モニターライン３９のメスコネクター４１ａを着脱できるように形成している。
図９では、血液回路１１を構成するメインチューブ１１ａの先端にメスコネクター２１を装着しているが、オスコネクターを装着しても良い。
図９の使用方法は、図８と実質的に同じなので詳細な説明は省略する。
【図面の簡単な説明】
【００１９】
【図１】本発明の体外循環回路の一例を示す概略図（全体図）
【図２】本発明に使用するオス型連結部材の概略図
【図３】本発明の体外循環回路の一例を示す概略図（体外循環開始時の翼付針６０と動・静脈血液回路１１、３１の一部拡大図）
【図４】本発明の体外循環回路の一例を示す概略図（体外循環の途中で一時離脱した時の概略図、（Ａ）患者側の翼付針６０同士をオス型連結部材１を介して接続した時の概略図、（Ｂ）透析装置側の動・静脈側血液回路のメインチューブ１１ａ、３１ａを接続チューブ５０を介して接続した時の概略図）
【図５】本発明の体外循環回路の一例を示す概略図（体外循環の途中で一時離脱する時の概略図、（Ａ）（一時離脱前）患者に接続した動・静シャントチューブ７０と透析装置に接続した動・静脈側血液回路のメインチューブ１１ａ、３１ａをオス型連結部材１を介して接続する時の概略図で、（Ｂ）（一時離脱後）動・静脈シャントチューブ７０をオス型連結部材１を介して接続し、透析装置側の動・静脈側血液回路のメインチューブ１１ａ、３１ａをオス型連結部材１を介して接続する時の概略図）
【図６】本発明の体外循環回路の一例を示す概略図（体外循環途中の補液：静脈側ドリップチャンバー３８付近の一部拡大図）
【図７】本発明の体外循環回路の一例を示す概略図（体外循環終了時の血液回収）
【図８】本発明の体外循環回路の一例を示す概略図（体外循環終了時の血液回収）
【図９】本発明の体外循環回路の一例を示す概略図（体外循環終了時の血液回収）
【図１０】従来の体外循環回路の一例を示す概略図（一部拡大図）
【符号の説明】
【００２０】
１、１Ａ  オス型連結部材
２  固定手段
３  パッキン
４  連通部
１１  動脈側血液回路
１１a、８１ａ  動脈側メインチューブ
１２  輸液ライン
１２ａ、８２ａ  輸液ライン
１３、８３  輸液チャンバー
１４、８４  接続針
１５  回収ライン
１６  圧力感知器
１７  ローリングチューブ
１８  ドリップチャンバー（動脈側）
１９  モニターライン
２０  ＤＬコネクター
２１、２１ａ、２１ｂ、２１ｃ、２１ｄ、９１ｃ  メスコネクター
２２  固定体
２３、２３ａ、９３ａ、９３  オスコネクター
２４、９４  分岐ライン
３１、１０１ａ  静脈側血液回路
３１ａ  静脈側メインチューブ
３８、１０８  ドリップチャンバー（静脈側）
３９、１０９  モニターライン
４０  ＤＬコネクター
４１、４１ａ、４１ｂ、１１４ａ  メスコネクター
４３  オスコネクター
５０  接続チューブ
５１、６１、７１  メスコネクター
６０  翼付針（ＡＶＦ）
６０Ｔ  チューブ
６５  生理食塩液入り容器
６７  補液手段
６８  メスコネクター
７０  シャントチューブ
ＤＬ  体液循環処理装置
Ｔ、Ｔ１、Ｔ２  接続管
Ｃ  液体流路開閉手段（クランプ、鉗子）
【図１】
2005103043.tif 000003
【図２】
2005103043.tif 000004
【図３】
2005103043.tif 000005
【図４】
2005103043.tif 000006
【図５】
2005103043.tif 000007
【図６】
2005103043.tif 000008
【図７】
2005103043.tif 000009
【図８】
2005103043.tif 000010
【図９】
2005103043.tif 000011
【図１０】
2005103043.tif 000012